(57)【要約】【課題】木製時計の文字盤として多角形体の組子であって、装飾性の高い文字盤を備えた置時計で、立体感が得られる木製置時計を提供する。【解決手段】置き時計、又は掛け時計、又は嵌め込み時計における木製文字盤と、前記文字盤上を回動する木製の短針及び長針とを備え、前記文字盤は、幅０．６〜１５ｍｍの木製の格子を組み立てた、曲り模様、並びに幾何学模様の格子組子体をもって、前記時計の枠体内に多角形体の前記模様の組子体を組み入れている、前記装飾盤に木製組子模様を表現した文字盤を設けられている組子付き文字盤木製時計である。【選択図】図１
0003208144.tif 000002
【実用新案登録請求の範囲】
【請求項１】
置き時計、又は掛け時計、又は嵌め込み時計における木製文字盤と、前記文字盤上を回動する木製の短針及び長針とを備え、前記文字盤は、幅３〜１５ｍｍの木製の格子を組み立てた、曲り模様、並びに幾何学模様の格子組子体をもって、前記時計の枠体内に多角形体の前記模様の組子体を組み入れている、前記装飾盤に木製組子模様を表現した文字盤を設けられていることを特徴とする組子付き文字盤木製時計。
【請求項２】
前記文字盤に組み立てられている多角形の格子組子体は、曲り模様、並びに幾何学模様であって、曲り模様として、１５〜３６０°の角度の屈曲させた組子形態である花の花びら様で、また幾何学模様として、麻の葉（真金、又は桐）模様、胡麻殻（亀甲）模様、桜（亀甲）模様、植江模様、紗綾形崩し模様、井筒割菱模様、割菱つなぎ模様、三重菱模様、千本格子模様、升格子模様、青海波模様、七宝模様の中から選ばれた組子で、多角形体の文字盤の枠体にそれぞれ組み込まれて、前記枠体の多角形体の文字盤として三角体、四角体、六角体、八角体、十二角体から選ばれた立体形状体であることを特徴とする請求項１に記載の組子付き文字盤木製時計。
【請求項３】
前記の三種の時計の文字盤の枠体として多角形体の組子であって、多角形体面に格子の組子模様にした前記時計の文字盤の構造になって、多角形体は、縦、横それぞれ１００〜７００ｍｍの寸法である文字盤面に  一辺の長さをそれぞれ５０〜６００ｍｍの多角形の木製の格子を組み立てた、曲り模様、並びに幾何学模様の格子組子体をもって、時計の文字盤に多角形体の組子体を組み入れていることを特徴とする請求項１、又は請求項２に記載の組子付き文字盤木製時計。
【考案の詳細な説明】
【技術分野】
【０００１】  本考案は、前記置き時計、又は掛け時計、又は嵌め込み時計の文字盤として多角形体の組子であって、装飾性の高い文字盤を備えた木製時計に関する。
【背景技術】
【０００２】  時計の文字盤に装飾を施す場合、文字盤上に模様、図形等を立体的に形成することがある。十二支を構成する獣の立体図形を、木製の文字盤に貼り付けた装飾時計が開示されている（特許文献１参照）。【０００３】文字盤の厚さを抑制しつつ、立体感が得られる置時計を提供するために、前記文字盤は、金属製のベース板と、前記ベース板の表側に重ねられ、対象物の形状に形成された金属製の装飾板と、を有し、前記装飾板に模様を表現した１又は複数の貫通孔が設けられている置き時計（特許文献２参照）【０００４】時刻表示に発光ダイオードを用いた時計を提供することを目的として、１から１２の文字が円形に並べられた文字盤と、時を示すための円形に並べられた１２個の時表示用発光ダイオードと、時表示用発光ダイオードの円の内側に、分を示すための円形に並べられた６０個の分表示用発光ダイオードと、分表示用発光ダイオードの円の内側に、発光ダイオードを駆動する発光ダイオード駆動回路と、を備えて、現在時刻を表示するように構成された発光ダイオード時計である（特許文献３参照）。【０００５】正面側に時計文字盤が配設され背面側にムーブメントが配設されてなる本体部と、この本体部の背面側に配設される半球形状の背面側魚眼レンズと、この背面側魚眼レンズの端面に形成されて前記本体部が対応する窪み部と、前記本体部の正面側に配設されて前記背面側魚眼レンズと連結される半球状の正面側魚眼レンズと、を有してなることを特徴とする置時計（特許文献４参照）。【０００６】文字盤として三角体、四角体、六角体、八角体、十二角体から選ばれた立体形状体の文字盤に格子状の組子を持つ置き時計、又は掛け時計、又は嵌め込み時計は存在しない。
【先行技術文献】
【特許文献】
【０００７】
【特許文献１】実開昭６２−１９３５８３号公報
【特許文献２】実用新案登録第３１９９４８５号公報
【特許文献３】特開２０００−２３０９９０号公報
【特許文献４】実用新案登録第３０５２０２９号公報
【考案の概要】
【考案が解決しようとする課題】
【０００８】  木製装飾的時計において、文字盤として斬新的立体図形のものは少なく、一般的な平板のものであって、置き時計、又は掛け時計、又は嵌め込み時計における木製文字盤で時計全体の形状で文字盤から浮き上がるようにして、立体感が損なわれ、立体図形が目立たない。その一方、立体図形の高さを大きくすると、木製で立体感が得られるものの、時計の装飾性と特異性をもたらせることに不足するという問題がある。【０００９】  本考案は斯かる事情に鑑みてなされたものであり、その主たる目的は、文字盤の前置き時計、又は掛け時計、又は嵌め込み時計における木製文字盤として多角形体の組子であって、装飾性の高い木製文字盤を備えた種々の時計にしつつ、自然観と立体感が得られる置時計を提供することにある。
【課題を解決するための手段】
【００１０】  上述した課題を解決するために、本考案の三種類の木製時計は、文字盤と前記文字盤上を回動する短針及び長針と、を備え、前記文字盤は、木製板のベース板と、多角形の格子組子体が設けられている。【００１１】置き時計、又は掛け時計、又は嵌め込み時計における木製文字盤と、前記文字盤上を回動する木製の短針及び長針とを備え、前記文字盤は、幅３〜１５ｍｍの木製の格子を組み立てた、曲り模様、並びに幾何学模様の格子組子体をもって、前記時計の枠体内に多角形体の前記模様の組子体を組み入れている、前記装飾盤に木製組子模様を表現した文字盤を設けられている組子付き文字盤木製時計である。【００１２】前記文字盤に組み立てられている多角形の格子組子体は、曲り模様、並びに幾何学模様であって、曲り模様として、１５〜３６０°の角度の屈曲させた組子形態である花の花びら様で、また幾何学模様として、麻の葉（真金、又は桐）模様、胡麻殻（亀甲）模様、桜（亀甲）模様、植江模様、紗綾形崩し模様、井筒割菱模様、割菱つなぎ模様、三重菱模様、千本格子模様、升格子模様、青海波模様、七宝模様の中から選ばれた組子で、多角形体の文字盤の枠体にそれぞれ組み込まれて、前記枠体の多角形体の文字盤として三角体、四角体、六角体、八角体、十二角体から選ばれた立体形状体である。【００１３】前記の三種の時計の文字盤の枠体として多角形体の組子であって、多角形体面に格子の組子模様にした前記時計の文字盤の構造になって、多角形体は、縦、横それぞれ１００〜７００ｍｍの寸法である文字盤面に  一辺の長さをそれぞれ５０〜６００ｍｍの多角形の木製の格子を組み立てた、曲り模様、並びに幾何学模様の格子組子体をもって、時計の文字盤に多角形体の組子体を組み入れている。
【考案の効果】
【００１４】置き時計、又は掛け時計、又は嵌め込み時計における木製文字盤で、木製の形状で文字盤から浮き上がるようにして、立体感が損なわれず、格子状組子によって立体性を大きくし、木製で立体感が得られるものの、文字盤として三角体、四角体、六角体、八角体、十二角体から選ばれた立体形状体である時計の装飾性と特異性をもたらせた。これを設置した部屋では装飾性をもたらした。
【図面の簡単な説明】
【００１５】
【図１】組子付き文字盤木製掛け時計を示す斜視図。
【図２】掛け時計としての組子付き文字盤の木製時計を示す正面図。  Ａ：六角形枠体掛け時計  Ｂ：四角形枠体掛け時計
【図３】組子付き文字盤木製時計の文字盤の組子模様を示す正面図。  Ｘ：組子混合体の文字盤  Ａ：麻の葉（真金、又は桐）模様、Ｂ：胡麻殻（亀甲）模様、Ｃ八重桜亀甲模様
【図４】組子付き文字盤木製時計の八角形形状を示す正面図。
【図５】実施の形態に係る組子付き文字盤置き時計を示す斜視図。
【図６】戸に取り付けた組子付き文字盤木製時計の設置状態を示す斜視図。  Ａ：戸に嵌め込まれた時計  Ｂ：十二角形組子嵌め込み時計
【考案を実施するための形態】
【００１６】  以下、本考案の好ましい実施の形態を、図面を参照しながら説明する。
図１は、実施の形態に係る組子付き文字盤木製時計を示す斜視図、図２は、掛け時計としての組子付き文字盤木製時計を示す正面図、図３は、組子付き文字盤の木製時計の文字盤組子模様を示す正面図、図４は、組子付き文字盤木製時計の八角形形状を示す正面図、図５は組子付き文字盤置き時計を示す斜視図、図６は、戸に取り付けた組子付き文字盤木製時計の設置状態を示す斜視図である
【実施例１】
【００１７】  図１に示すように掛け時計の文字盤と、前記文字盤上を回動する短針及び長針とを備え、前記文字盤は、幅７ｍｍの木製の格子を組み立てた、曲り模様、並びに幾何学模様の格子組子体をもって、六角形体の前記模様の組子体を組み入れた、図２Ａ，Ｂに示すように枠体の六角形と四角形に前記装飾盤に６角形の木製組子模様を表現した文字盤を設けた。【００１８】文字盤に組み立てられている六多角形で組み立てられ、その枠体内部に組み入れられている格子組子体は、曲り模様、並びに幾何学模様であって、曲り模様として、６０°の角度の屈曲させた組子形態である花の花びら様と、幾何学模様として、麻の葉（真金、又は桐）組子になって、六角形体の文字盤にそれぞれ組み込まれて、六角形体の文字盤形状体にした。六角形（図２Ａ）と四角形（図２Ｂ）との枠体として幅３０ｍｍ、厚さ５ｍｍの平板を使用して製作した。【００１９】前記掛け時計の文字盤として六角形体の組子であって、六角形体面に格子の組子模様にした掛け時計の文字盤の構造になって、六角形体は、縦、横それぞれ２００ｍｍの寸法である文字盤面に  一辺の長さをそれぞれ１５０ｍｍの六角形の木製の格子を組み立てた文字盤であって、曲り模様、並びに幾何学模様の格子組子体をもって、置き時計の文字盤に図３に示すような組子からなっている種々の組子体を組み入れた。部屋の壁面に掛けたが新鮮が見られ、今までにない掛け時計となった。
【実施例２】
【００２０】  図５に示すように文字盤と前記文字盤上を回動する短針及び長針とを備え、前記文字盤は、、幅５〜１０ｍｍの木製の格子を組み立てた、曲り模様、並びに幾何学模様の格子組子体をもって、六角形体の前記模様の組子体を組み入れている、前記装飾盤に木製組子模様を表現した文字盤を設けた。【００２１】文字盤に組み立てられている六角形の格子組子体は、曲り模様、並びに幾何学模様であって、曲り模様として、３６０°の角度の屈曲させた組子形態である花の花びら様と、また幾何学模様として、胡麻殻（亀甲）模様、の組子で、多角形体の文字盤にそれぞれ組み込まれて、六角体形状体であった。【００２２】前記置き時計の文字盤として六角形体の組子であって、六角形体の枠体に組子格子の組子模様にした置き時計の文字盤の構造になって、六角形体は、縦、横それぞれ２００ｍｍの寸法である文字盤面に  一辺の長さをそれぞれ８０ｍｍの六角形の木製の格子を組み立てた、曲り模様、並びに幾何学模様の格子組子体をもって、置き時計の六角形体枠体に文字盤の組子体を組み入れた。六角形体の文字盤形状体にした。六角形の枠体として幅３０ｍｍ、厚さ１０ｍｍの平板を使用して製作した。
【実施例３】
【００２３】  図４に示すように文字盤と、前記文字盤上を回動する短針及び長針とを備え、前記文字盤は、幅５〜１５ｍｍの木製の格子を組み立てた、曲り模様、並びに幾何学模様の格子組子体をもって、八角形体の枠体に前記模様の組子体を組み入れた、前記装飾盤に木製組子模様を表現した六角体の文字盤を設けた。【００２４】文字盤に組み立てられている八角形の格子組子体は、曲り模様、並びに幾何学模様であって、曲り模様として、１８０°の角度の屈曲させた組子形態である花の花びら様と、また幾何学模様として、胡麻殻（亀甲）模様、の組子で、多角形体の文字盤にそれぞれ組み込まれて、八角体形状体であった。【００２５】前記置き時計の文字盤として八角形体の組子であって、八角形体面に格子の組子模様にした置き時計の文字盤の構造になって、八角形体の枠体は、縦、横それぞれ３００ｍｍの寸法で、六角体の文字盤面に一辺の長さをそれぞれ６０ｍｍの八角形の木製の格子を組み立てた、曲り模様、並びに幾何学模様の格子組子体をもって、置き時計の文字盤に多角形体の組子体を組み入れた。八角形体の文字盤形状体にした。八角形の枠体として幅４０ｍｍ、厚さ２０ｍｍの平板を使用して製作した。
【実施例４】
【００２６】  図６Ａに示すように、戸に取り付けた嵌め込み時計の文字盤と、前記文字盤上を回動する短針及び長針とを備え、前記文字盤は、幅７ｍｍの木製の格子を組み立てた、曲り模様、並びに幾何学模様の格子組子体をもって、十二角形体の前記模様の組子体の文字盤を組み入れた前記装飾盤に木製組子模様を表現した文字盤野の嵌め込み時計を付けた開戸であった。【００２７】文字盤に組み立てられている十二角形の格子組子体は、曲り模様、並びに幾何学模様であって、図６Ｂに示すように幾何学模様として、割菱つなぎ模様、三重菱模様、千本格子模様、から選ばれた組子で、十二角形体の文字盤にそれぞれ組み込まれて、十二角体形状体であった。【００２８】前記嵌め込み時計の文字盤として十二角形体の組子であって、十二角形体面に格子の組子模様にした置き時計の文字盤の構造になって、十二角形体は、縦、横それぞれ２５０ｍｍの寸法である文字盤面に幾何学模様の格子組子体をもって、嵌め込み時計の文字盤に十二角形体の組子体を組み入れた。図６Ａに示すように戸に嵌め込んで使用したが、今までにない時計付き開戸になった。
【符号の説明】
【００２９】１  時計（置き時計、又は掛け時計、又は嵌め込み時計）
２  文字盤
３  組子格子
４  多角形体（三角体、四角体、六角体、八角体、十二角体）
５  組子板
６  枠体
７  時計機構
８  短針
９  長針
１０  秒針
１１  掛け時計
１２  置き時計
１３  嵌め込み時計
１４  壁面
１５  開戸
【図１】
0003208144.tif 000003
【図２】
0003208144.tif 000004
【図３】
0003208144.tif 000005
【図４】
0003208144.tif 000006
【図５】
0003208144.tif 000007
【図６】
0003208144.tif 000008
【手続補正書】
【提出日】平成28年10月12日(2016.10.12)
【手続補正１】
【補正対象書類名】実用新案登録請求の範囲
【補正対象項目名】全文
【補正方法】変更
【補正の内容】
【実用新案登録請求の範囲】
【請求項１】
置き時計、又は掛け時計、又は嵌め込み時計における木製文字盤と、前記文字盤上を回動する木製の短針及び長針とを備え、前記文字盤は、幅３〜１５ｍｍの木製の格子を組み立てた、曲り模様、並びに幾何学模様の格子組子体をもって、前記時計の枠体内に多角形体の前記模様の組子体を組み入れている、木製組子模様を表現した装飾性文字盤になっていることを特徴とする組子付き文字盤木製時計。
【請求項２】
前記文字盤に組み立てられている多角形の格子組子体は、曲り模様、並びに幾何学模様であって、曲り模様として、１５〜３６０°の角度の屈曲させた組子形態である花の花びら様で、また幾何学模様として、麻の葉模様、真金模様、桐模様、胡麻殻模様、胡麻殻亀甲模様、桜亀甲模様、植江模様、紗綾形崩し模様、井筒割菱模様、割菱つなぎ模様、三重菱模様、千本格子模様、升格子模様、青海波模様、七宝模様の中から選ばれた組子で、多角形体の文字盤の枠体にそれぞれ組み込まれて、前記枠体の多角形体の文字盤として三角体、四角体、六角体、八角体、十二角体から選ばれた立体形状体であることを特徴とする請求項１に記載の組子付き文字盤木製時計。
【請求項３】
前記の三種の時計の文字盤の枠体として多角形体の組子であって、多角形体面に格子の組子模様にした前記時計の文字盤の構造になって、多角形体は、縦、横それぞれ１００〜７００ｍｍの寸法である文字盤面に  一辺の長さをそれぞれ５０〜６００ｍｍの多角形の木製の格子を組み立てた、曲り模様、並びに幾何学模様の格子組子体をもって、時計の文字盤に多角形体の組子体を組み入れていることを特徴とする請求項１、又は請求項２に記載の組子付き文字盤木製時計。